(57)【要約】【課題】飲料水の冷却時に、飲料水の凍結を防ぐことのできるディスペンサを提供する。【解決手段】ディスペンサ１の電源がＯＮになると、制御Ａが開始され、優先的に蓄氷運転が行われる（ステップＳ１）。続くステップＳ２において、冷却水槽７内に氷がある場合には、ステップＳ１の制御Ａを継続する。一方、氷がないと共に冷水の注出もない場合には、ステップＳ１の制御Ａを継続するが、注出が行われれば、制御Ｂが開始される（ステップＳ４）。続くステップＳ５において、冷却水槽７内に氷が形成され始めると、ステップＳ１に戻って制御Ａを開始する。一方、氷がないにも関らず注出があった場合には（ステップＳ６）、ステップＳ４に戻って制御Ｂが開始され、一定時間の間に注出がない場合には（ステップＳ６）、制御Ｃが行われ、蓄氷運転が行われる。（ステップＳ７）。制御Ｃでは、ステップＳ６の判断が継続される。【選択図】図６
2006051988.tif 000002
【特許請求の範囲】
【請求項１】
冷却水を貯水する冷却水槽と、
前記冷却水を冷却する冷凍装置と、
前記冷却水を攪拌する攪拌手段と、
前記冷却水が冷却されることによって形成された前記冷却水槽内の氷の量が、第一の所定量に達していることを検出する満氷検出手段と、
前記氷の量が、前記第一の所定量よりも少ない第二の所定量に達していることを検出する氷有無検出手段と、
前記氷有無検出手段及び前記満氷検出手段の検出値に基づいて、前記冷凍装置及び前記攪拌手段の運転を制御する制御装置と
を備え、
前記満氷検出手段が、前記氷の量が前記第一の所定量に達していることを検出した場合、
前記制御装置は、前記冷凍装置及び前記攪拌手段の運転を停止し、
前記氷有無検出手段が、前記氷の量が前記第二の所定量に達していることを検出すると共に、前記満氷検出手段が、前記冷却水槽内の氷が満氷でないことを検出した場合、
前記制御装置は、前記冷凍装置及び前記攪拌手段の運転を開始する
ことを特徴とするディスペンサ。
【請求項２】
飲料水が流通する給水管と、
前記給水管と連通し、前記冷却水槽内に設けられ、前記飲料水が流通する際に、前記冷却水との熱交換により前記飲料水が冷却される冷却管と、
前記冷却管と連通し、冷却された前記飲料水が注出される注出コックと、
上限温度及び下限温度が設定された、前記冷却水の温度を検出する水温検出手段と、
前記冷却管において冷却された前記飲料水を、前記注出コックから注出していることを検出する注出検出手段と
を備え、
前記制御装置は、さらに、前記水温検出手段及び前記注出検出手段にも基づいて、前記冷凍装置及び前記攪拌手段の運転を制御し、
前記氷有無検出手段が、前記氷が第二の所定量に達していることを検出しない場合であって、
前記水温検出手段が前記冷却水の温度が前記下限温度を下回ったことを検出すると共に、前記注出検出手段が、前記注出コックから前記飲料水を注出していることを検出した時には、
前記制御装置が前記冷凍装置及び前記攪拌手段の運転を停止し、
前記冷凍装置及び前記攪拌手段の運転停止後であって、
前記注出検出手段が前記注出コックから前記飲料水が注出されたことを検出した時には、
前記制御装置は、前記攪拌手段の運転を開始する
ことを特徴とする請求項１に記載のディスペンサ。
【請求項３】
前記制御装置は、前記注出コックから前記飲料水を注出してからの経過時間を計測し、
前記水温検出手段が、前記冷却水の温度が前記上限温度を上回ったことを検出した場合と、
前記注出検出手段が、前記制御装置に任意に設定可能な所定時間内に、前記注出コックから前記飲料水が注出されたことを検出しない場合と
のうち、少なくとも一方の場合には、
前記制御装置が前記冷凍装置及び前記攪拌手段の運転を開始することを特徴とする請求項２に記載のディスペンサ。
【発明の詳細な説明】
【技術分野】
【０００１】
この発明は、ディスペンサに係り、とくに、アイスバンク方式のディスペンサに関する。
【背景技術】
【０００２】
従来のアイスバンク方式のディスペンサの構造が、例えば特許文献１等に記載されている。このようなディスペンサのうち、冷水を提供するためのディスペンサの構造を図７に示す。ディスペンサ４０は冷却水槽４１を備え、冷却水槽４１の内周面には、冷却水槽４１中の冷却水を冷却するために、管状の冷却器４２が巻回されている。冷却器４２には、それぞれ図示しない圧縮機、凝縮器及び膨張弁が順次接続されて冷凍装置を構成する。この冷凍装置に冷媒が循環すると、冷却器４２において、冷媒と冷却水との間で熱交換が行われて冷却水が冷却され、冷却水槽４１中に氷が形成される。
【０００３】
形成された氷量を検出するために、冷却水槽には、蓄氷電極４４が設けられている。図８に示されるように、冷却水槽４１の内周面４１ａ付近において、冷却水槽４１の底面４１ｂに固定部材４５が固定されており、冷却器４２及び蓄氷電極４４は、固定部材４５に取り付けられている。蓄氷電極４４は、２つの電極センサ４４ａ，４４ｂから構成され、それぞれ固定部材４５に対して冷却器４２と反対側に、冷却器４２の中心部から電極センサの端部までの距離がｄとなるように取り付けられている。
氷４７は、冷却器４２の周りに、徐々に厚さが増すように板状に成長していく。この際、氷４７の厚さが均一に成長するように、攪拌モータ４６（図８参照）が冷却水を攪拌する。
【０００４】
次に、氷を形成するための蓄氷運転の制御について、図９に基づいて説明する。
任意の時間ｔ０において電源がＯＮになると、攪拌モータ４６の運転が開始され（ＯＮとなり）、電源がＯＦＦにならない限り、攪拌モータ４６の運転は継続される。冷凍装置については、電源がＯＮになると同時に、運転が開始される（ＯＮとなる）。冷凍装置の運転開始後、時間ｔ１において氷が形成し始める。時間ｔ０からｔ１の間は、時間の経過とともに冷却水温度が低下し続け、０℃未満の過冷却状態となる。氷が形成し始めると、冷却水温度は０℃まで急上昇する。
形成される氷量が徐々に増加していき、時間ｔ２になると、蓄氷電極４４が氷で覆われるようになる。２つの電極センサ４４ａ，４４ｂが共に氷で覆われていない場合には、冷却水を介して電極センサ間で通電が起こるが、どちらか一方でも氷で覆われるようになると、冷却水を介しての通電が起こらなくなる。このことを利用して、氷４７の厚さがＤ（図９参照）になったか否かを検出する。氷の厚さがＤになったことを検出した場合は、冷凍装置の運転が停止される（ＯＦＦになる）。冷凍装置の運転がＯＦＦの間に、冷却水槽４１中の氷が溶け、時間ｔ３において、２つの電極センサ４４ａ，４４ｂが共に氷で覆われないようになると、電極センサ間で通電が起こる。これにより、冷凍装置の運転が再開され、再び蓄氷電極４４が氷で覆われるようになるまで（時間ｔ４）、冷凍装置の運転が継続される。
【０００５】
一方、冷却コイル４３は、注出コック４９と連動する電磁弁４８を介して、水道に連結されている。冷水を注出するために注出コック４９を操作すると、電磁弁４８が開いて、水道から水道水が冷却コイル４３に給水される。水道水は、冷却コイル４３内を流通する際、冷却水と熱交換を行うことによって冷却される。冷却された水道水は、注出コック４９から冷水として注出される。冷水の注出が終わり、注出コック４９の操作を終了させると、電磁弁４８が閉じ、冷却コイル４３への水道水の給水が遮断される。
【０００６】
【特許文献１】特開２００３−１６５６００号公報
【発明の開示】
【発明が解決しようとする課題】
【０００７】
しかしながら、時間ｔ０からｔ１の間において、冷却水が過冷却状態となる時間帯に注出コックから冷水を注出すると、水道水が冷却コイル４３内を流通する際、過冷却状態の冷却水と熱交換することによって、綿氷が発生する。この状態で注出を繰り返すと、綿氷が下流に溜まり、水圧によって綿氷が圧縮されて氷の塊となり、さらに冷却水による冷却により、この氷の塊が成長する。この結果、冷却コイル４３から注出コックまでの間において閉塞が発生するため、閉塞箇所より上流側の圧力が異常に上昇するといった問題点があった。
また、冷水の注出操作が頻繁であったりすると、冷凍装置による氷の形成が間に合わず、冷却水槽４１内の氷が全て溶けてなくなってしまう場合がある。この状態を経て再び氷が形成される際には、冷却水は必ず過冷却状態を経ることになるため、上記問題点の生じる可能性が高くなってしまう。
【０００８】
この発明は、このような問題点を解決するためになされたもので、飲料水の冷却時に、飲料水の凍結を防ぐことのできるディスペンサを提供することを目的とする。
【課題を解決するための手段】
【０００９】
この発明に係るディスペンサは、冷却水を貯水する冷却水槽と、冷却水を冷却する冷凍装置と、冷却水を攪拌する攪拌手段と、冷却水が冷却されることによって形成された冷却水槽内の氷の量が、第一の所定量に達していることを検出する満氷検出手段と、氷の量が、第一の所定量よりも少ない第二の所定量に達していることを検出する氷有無検出手段と、氷有無検出手段及び満氷検出手段の検出値に基づいて、冷凍装置及び攪拌手段の運転を制御する制御装置とを備え、満氷検出手段が、氷の量が第一の所定量に達していることを検出した場合、制御装置は、冷凍装置及び攪拌手段の運転を停止し、氷有無検出手段が、氷の量が第二の所定量に達していることを検出すると共に、満氷検出手段が、冷却水槽内の氷が満氷でないことを検出した場合、制御装置は、冷凍装置及び攪拌手段の運転を開始することを特徴とする。
また、この発明に係るディスペンサは、飲料水が流通する給水管と、給水管と連通し、冷却水槽内に設けられ、飲料水が流通する際に、冷却水との熱交換により飲料水が冷却される冷却管と、冷却管と連通し、冷却された飲料水が注出される注出コックと、上限温度及び下限温度が設定された、冷却水の温度を検出する水温検出手段と、冷却管において冷却された飲料水を、注出コックから注出していることを検出する注出検出手段とを備え、制御装置は、さらに、水温検出手段及び注出検出手段にも基づいて、冷凍装置及び攪拌手段の運転を制御し、氷有無検出手段が、氷が第二の所定量に達していることを検出しない場合であって、水温検出手段が冷却水の温度が下限温度を下回ったことを検出すると共に、注出検出手段が、注出コックから飲料水を注出していることを検出した時には、制御装置が冷凍装置及び攪拌手段の運転を停止し、冷凍装置及び攪拌手段の運転停止後であって、注出検出手段が注出コックから飲料水が注出されたことを検出した時には、制御装置は、攪拌手段の運転を開始することを特徴とする。
さらに、この発明に係るディスペンサは、制御装置は、注出コックから飲料水を注出してからの経過時間を計測し、水温検出手段が、冷却水の温度が上限温度を上回ったことを検出した場合と、注出検出手段が、制御装置に任意に設定可能な所定時間内に、注出コックから飲料水が注出されたことを検出しない場合とのうち、少なくとも一方の場合には、制御装置が冷凍装置及び攪拌手段の運転を開始することを特徴とする。
【発明の効果】
【００１０】
この発明によれば、満氷検出手段、氷有無検出手段、水温検出手段、及び注出検出手段の検出値に基づいて、冷凍装置及び攪拌手段の運転を制御するようにしたので、飲料水の冷却時に、給水管及び冷却管内において、飲料水の凍結を防ぐことができる。これにより、給水管及び冷却管には異常圧力がかからなくなるため、これらの破損を防止することができる。
【発明を実施するための最良の形態】
【００１１】
以下、この発明の実施の形態を添付図面に基づいて説明する。
図１に示されるように、この発明の実施の形態に係るディスペンサ１は、給水管２が図示しない水道に連結されている。給水管２には、水道水圧を減圧するための減圧装置３、ディスペンサ１への水道水の供給を制御する電磁弁４、手動閉止バルブ５及び逆流を防止するショックアブソーバ６が設けられている。
冷却水槽７内には、内コイル及び外コイルが並列に構成されている冷却コイル８が設けられ、ショックアブソーバ６を介して給水管２と連結している。冷却水槽７内周面には、冷却水槽７内の冷却水を冷却するための冷却器９が設けられている。冷却器９、圧縮機１０、凝縮器１１、及び図示しない膨張弁が順次接続されて冷凍装置２０が構成され、圧縮機１０によって、冷凍装置２０内を冷媒が循環するようになっている。
また、冷却水槽７内には、冷却水の水温検出手段であるサーミスタ１５、冷却水槽７内の氷量を検出する中間電極１６及び蓄氷電極１７が設けられている。さらに、冷却水槽７の下方には、冷却水の攪拌手段である攪拌モータ１２が設けられている。
【００１２】
冷却コイル８の下流端部には注出管１３が接続され、注出管１３の他端には、冷水を注出する注出コック１４が設けられている。注出コック１４と電磁弁４とは電気的に接続されて連動するようになっており、注出コック１４から冷水が注出されると電磁弁４が開き、水道から冷却コイル８へ水道水が供給される。一方、注出コック１４から冷水の注出が停止すると電磁弁４は閉じ、冷却コイル８への水道水の供給が停止する。また、注出コック１４には、注出コック１４から冷却された水道水（冷水）が注出されているか否かを検出する注出検出手段である注出検出スイッチ１８が設けられている。
さらに、制御装置１９が設けられており、この制御装置１９には、圧縮機１０、攪拌モータ１２、サーミスタ１５、中間電極１６、蓄氷電極１７、及び注出検出スイッチ１８が電気的に接続されている。
【００１３】
次に、中間電極１６及び蓄氷電極１７の構成を、図２に基づいて説明する。
図２に示されるように、冷却水槽７の内周面７ａ付近において、冷却水槽７の底面７ｂに固定部材２１が固定されており、冷却器９は固定部材２１に固定されている。蓄氷電極１７は、２つの電極センサ１７ａ，１７ｂから構成され、それぞれ固定部材２１に対して冷却器９と反対側に、冷却器９の中心部から電極センサ１７ａ，１７ｂの端部までの距離がｄとなるように取り付けられている。中間電極１６は、蓄氷電極１７を構成する２つの電極センサ１７ａ，１７ｂと同じ電極センサで構成され、巻回された冷却器９の間に位置するように、固定部材２１に取り付けられている。
【００１４】
氷は、冷却器９の周りに、徐々に厚さが増すように板状に成長していく。この際、氷２２の厚さが均一に成長するように、攪拌モータ１２が冷却水を攪拌する。中間電極１６及び蓄氷電極１７を構成する電極センサ１７ａ，１７ｂの合計３つの電極センサ間では、冷却水を介して通電が起こっている。冷却水中では電流が流れるが、氷中では電流は流れない。この性質を利用し、各電極センサが氷で覆われているか否かを判断でき、これにより、氷２２の厚さを検出することができる。
中間電極１６が氷で覆われてしまう時の氷２２の厚さ（氷２２の量）を第二の所定量とすると、中間電極１６は、氷の形成し始めにおける僅かの量の氷でも覆われてしまう位置にあるため、氷２２の量が第二の所定量に達したことを検出することによって、冷却水槽７内に氷が存在するか否かを検出することができる。ここで、中間電極１６は、氷有無検出手段を構成する。一方、蓄氷電極１７は、固定部材２１に取り付ける際、距離ｄを調整することにより、蓄氷電極１７が氷で覆われる時の氷２２の厚さＤを調整することができる。このときの氷２２の厚さＤ（氷２２の量）を第一の所定量とし、この第一の所定量を満氷と規定する。蓄氷電極１７は、第一の所定量の氷が存在することを検出することで、満氷であることを検出する。ここで、蓄氷電極１７は、満氷検出手段を構成する。
【００１５】
次に、この実施の形態に係るディスペンサの動作を説明する。
図１に示されるように、ディスペンサ１の電源を入れると圧縮機１０が起動し、冷凍装置２０内を冷媒が循環する。冷媒の循環により冷却器９が冷却され、冷却器９と冷却水槽７内の冷却水とが熱交換を行うことによって、冷却水が冷却されて氷が形成される。また、冷凍装置２０の運転開始から所定のタイミングで攪拌モータ１２が運転されると、冷却水槽７内の冷却水が攪拌されて、冷却水は効率的に冷却される。さらに、この攪拌により、後述する冷却コイル８内の水道水と冷却水との熱交換効率を高める効果も得られる。
【００１６】
ユーザーが、注出コック１４から冷水を注出するために、注出コック１４を作動すると、電磁弁４が開いて、水道から供給された水道水は給水管２を流通し、減圧装置３によって、水道水圧が適正な圧力に減圧される。減圧装置３によって減圧された水道水は、冷却コイル８へ供給される。水道水が冷却コイル８を流通する際、冷却水槽７中の冷却水と熱交換することにより、水道水は冷却され、冷水として注出コック１４から注出される。
【００１７】
一方、ディスペンサ１の電源がＯＮとなり、冷却水槽７内の冷却水が冷却されて氷が形成される際、必ず冷却水が過冷却状態となる時間帯が存在する。この時間帯に注出コック１４より冷水を注出すると、水道水が冷却コイル８内を流通する際、過冷却状態の冷却水と熱交換することによって、綿氷が発生する。このような状態で、冷水の注出を繰り返すと、綿氷が下流に溜まり、水圧によって綿氷が圧縮されて氷の塊となる。さらに冷却水による冷却により、この氷の塊が成長する。この結果、冷却コイル８から注出コック１４の間で閉塞が生じ、閉塞箇所から上流において、圧力が異常に上昇してしまう。
そこで、冷却コイル８内で冷却水が結晶化するのを防ぐために、冷凍装置２０及び攪拌モータ１２の運転について、図３〜５に示される制御を行う。
【００１８】
図３に示される制御Ａは、中間電極１６が、氷の存在を検出した場合の制御である。
任意の時間ｔＡ０において、ディスペンサの電源をＯＮにすると、攪拌モータ１２の運転が開始され（ＯＮとなり）、圧縮機１０が起動されることによって冷凍装置２０の運転が開始される（ＯＮとなる）。攪拌モータ１２及び冷凍装置２０の運転開始後、しばらくの間は氷が形成されず、時間ｔＡ１になって氷が形成し始める。時間ｔＡ０〜ｔＡ１の間において、時間の経過とともに冷却水温度が低下し続け、０℃未満の過冷却状態になる時間帯が存在する。時間ｔＡ１において、氷が形成され始めることによって冷却水温度は０℃まで急上昇し、その後は０℃に保たれる。冷却水槽７内の氷量が増加し、時間ｔＡ２において、蓄氷電極１７が氷で覆われるようになると（蓄氷電極１７がＯＮとなる）、制御装置１９は攪拌モータ１２の運転を停止し（ＯＦＦにし）、さらに圧縮機１０を停止することによって冷凍装置２０の運転を停止する（ＯＦＦにする）。
その後、攪拌モータ１２及び冷凍装置２０の運転が停止された状態で、注出コック１４より冷水を注出したり、冷水が注出されるのを待機している間に氷が溶け、時間ｔＡ３において、蓄氷電極１７が氷で覆われないようになる（蓄氷電極１７がＯＦＦとなる）。すると、制御装置１９は攪拌モータ１２及び冷凍装置２０の運転を再開し、再び蓄氷電極１７が氷で覆われるようになるまで（時間ｔＡ４）、攪拌モータ１２及び冷凍装置２０の運転を継続する。
【００１９】
図４に示される制御Ｂは、制御Ａにおいて、中間電極１６が、氷が存在しないことを検出し、かつ注出検出スイッチ１８が、注出コック１４から冷水が注出されていることを検出した場合の制御である。
時間ｔＢ１において、冷却水が過冷却状態の時に、注出検出スイッチ１８が、注出コック１４から冷水が注出されたことを検出すると（注出検出スイッチ１８がＯＮとなる）、制御装置１９は攪拌モータ１２及び冷凍装置２０の運転を停止する。制御装置１９には、注出検出スイッチ１８のＯＮ／ＯＦＦを検出するカウンターが設けられており、注出スイッチ１８がＯＮとなることによって冷凍装置２０の運転が停止されると、このカウンターがリセットされるようになっている。カウンターリセット後、時間ｔＢ２において最初に注出検出スイッチ１８がＯＮとなると、制御装置１９は、攪拌モータ１２の運転のみを開始する。これにより、再び、水道水が冷却コイル８において冷却されるようになる。その後に注出検出スイッチ１８がＯＮとなっても、制御装置１９は、攪拌モータ１２の運転を停止しないようになっている。
時間ｔＢ２以降、冷却水温度が徐々に上昇していき、時間ｔＢ３において、サーミスタ１５が、冷却水温度が上限温度に達したことを検出すると、制御装置１９は冷凍装置２０の運転を開始する。これにより、攪拌モータ１２及び冷凍装置２０の両方が運転している状態になる。
【００２０】
図５に示される制御Ｃは、制御Ｂにおいて、注出検出スイッチ１８が、一定時間、例えば６０分間、ＯＮとならなかった場合の制御である。
制御装置１９は、注出検出スイッチ１８がＯＮとなってから、次にＯＮとなるまでの経過時間を計測する。注出検出スイッチ１８がＯＮとなった時間ｔＣ１の後、６０分間の待機時間を経過しても、注出検出スイッチ１８がＯＮとならない場合には、時間ｔＣ２において、制御装置１９は攪拌モータ１２及び冷凍装置２０の運転を開始する。図５では、時間ｔＣ２において、攪拌モータ１２及び冷凍装置２０の運転がＯＦＦとなっているため、制御装置１９が攪拌モータ１２及び冷凍装置２０の運転を開始するようになっているが、時間ｔＣ２において、例えば冷却水温度が上限温度に達したことにより、既に冷凍装置２０及び攪拌モータ１２の運転が行われている場合には、制御装置１９は冷凍装置２０及び攪拌モータ１２の運転を開始する必要はない。時間ｔＣ２以降については、制御Ｂが行われる。
ここで、待機時間として、６０分を例として示したが、これは注出操作の頻度が少ない夜間を想定した場合の一例であり、これに限定されるものではない。外気温が高い場合や注出操作が頻繁に行われる場合には、冷却水温度の上昇が早いため、待機時間として６０分よりも短く設定する必要があるし、外気温が低い場合や注出操作が全く行われないことが予想される場合には、６０分よりも長めに設定することもできる。
【００２１】
次に、ディスペンサ１の電源をＯＮにした後、上述した制御Ａ〜Ｃがどのような場合に行われるかについて、図６のフローチャートに基づいて整理する。
ディスペンサ１の電源がＯＮになると、制御Ａが開始され、優先的に蓄氷運転が行われる（ステップＳ１）。続くステップＳ２では、中間電極１６によって、冷却水槽７内に氷があるか否かが検出され、氷がある場合にはステップＳ１の制御Ａを継続する。一方、氷がない場合には、ステップＳ３において、注出検出スイッチ１８によって注出コック１４から冷水が注出されているか否かが検出される。注出が行われていなければ、ステップＳ１の制御Ａを継続する。一方、注出が行われれば、制御Ｂが開始される（ステップＳ４）。続くステップＳ５では、中間電極１６によって、冷却水槽７内に氷があるか否かが検出され、氷がある場合にはステップＳ１に戻って、制御Ａを開始する。一方、氷がない場合には、注出検出スイッチ１８によって、一定時間内に注出があったか否かが検出される（ステップＳ６）。注出があった場合には、ステップＳ４に戻って制御Ｂが開始され、注出がない場合には、制御Ｃが行われる（ステップＳ７）。ステップＳ７の制御Ｃでは、ステップＳ６の判断が継続される。
【００２２】
このように、制御Ａによれば、氷が存在している条件で、攪拌モータ１２及び冷凍装置２０の運転を行っても、冷却水が過冷却状態になることはないため、冷却コイル８内で水道水の凍結を防ぐことができる。これにより、給水管２、冷却コイル８、及びこれらに設けられている各種部品に異常水圧がかからなくなるため、これらの破損を防ぐことができる。
また、制御Ｂによれば、冷却水が過冷却状態の時に冷水が注出されても、冷凍装置２０及び攪拌モータ１２の運転を停止することによって、水道から給水される水道水（必ず０℃以上である）自体で冷却コイル８内が暖められるので、冷却コイル８内の氷結を未然に防止することができる。また、冷却水温度が上限温度に達するまで、冷凍装置２０及び攪拌モータ１２の運転を停止するようにしたため、冷水の注出が行われない限り、電力をほとんど消費せずに保温状態となり、省エネの制御が可能となる。
さらに、制御Ｃによれば、冷水の注出が一定時間行われない場合には、攪拌モータ１２及び冷凍装置２０の運転を開始するようにしたので、冷水の注出が長時間行われないことによって、冷却水温度が上限温度を超えたままの状態になることを防止することができる。
【００２３】
この実施の形態では、給水管２が水道に連結された冷水機を用いて説明しているが、これに限定されるものではない。水に限定されない任意の飲料水が貯溜されているタンクに給水管２を連結させ、炭酸ガス等による加圧によって、タンク内の飲料水を冷却コイル８へ送るようにしてもよい。
【図面の簡単な説明】
【００２４】
【図１】この発明の実施の形態１に係るディスペンサの内部構造を表す側面図である。
【図２】図１に示される中間電極１６及び蓄氷電極１７の拡大図である。
【図３】この実施の形態１に係るディスペンサの制御（制御Ａ）を説明するための図である。
【図４】この実施の形態１に係るディスペンサの別の制御（制御Ｂ）を説明するための図である。
【図５】この実施の形態１に係るディスペンサのさらに別の制御（制御Ｃ）を説明するための図である。
【図６】この実施の形態１に係るディスペンサの制御Ａ〜Ｃを説明するフローチャートである。
【図７】従来のディスペンサの構造を表す図である。
【図８】図７のＡの部分の拡大図である。
【図９】従来のディスペンサの制御を説明するための図である。
【符号の説明】
【００２５】
１  ディスペンサ、２  給水管、７  冷却水槽、８  冷却コイル（冷却管）、１２  攪拌モータ（攪拌手段）、１４  注出コック、１５  サーミスタ（水温検出手段）、１６  中間電極（氷有無検出手段）、１７  蓄氷電極（満氷検出手段）、１８  注出検出スイッチ（注出検出手段）、１９  制御装置、２０  冷凍装置、２２  氷。
【図１】
2006051988.tif 000003
【図２】
2006051988.tif 000004
【図３】
2006051988.tif 000005
【図４】
2006051988.tif 000006
【図５】
2006051988.tif 000007
【図６】
2006051988.tif 000008
【図７】
2006051988.tif 000009
【図８】
2006051988.tif 000010
【図９】
2006051988.tif 000011